(57)【要約】【課題】  本考案は、浴槽の湯の撹拌（温度の均一化）とゴミの捕集（清浄化）において、別々に作業をするのではなく一つの作業過程で湯の撹拌とゴミの捕集の両方が同時に出来るようにし、しかも作業が簡単に行なえ、且つ、浴槽の底部に沈殿しているゴミの大部分を拡散する前に捕集出来るようにするものである。【解決手段】  本考案は、長く設けた柄１の下端部にネット枠２と湯の撹拌作用を起こすための撹拌板４を一体化し、ネット枠２はゴミを捕集するためのネット３を有している。また撹拌板４はネット枠２の上枠部２ａから斜め上方に向けて取り付けられている。且つ、作業時に浴槽の底部と接するネット枠２の下枠部２ｂの前縁を沈殿しているゴミをすくい易くするように薄くしたことを特徴とする。【選択図】図１
0003118566.tif 000002
【実用新案登録請求の範囲】
【請求項１】
浴槽の湯の撹拌と湯垢や毛髪等のゴミの捕集が同時に出来るように柄の下端部にネット枠と斜め上方に傾斜する撹拌板を設け、このネット枠はゴミを捕集するためのネットを有することを特徴とするネット付浴湯撹拌具。
【請求項２】
ネット枠の下枠部の前縁を、浴槽の底部に沈澱しているゴミをすくい易くするために薄くしたことを特徴とする請求項１記載のネット付浴湯撹拌具。
【考案の詳細な説明】
【技術分野】
【０００１】  本考案は主として一般家庭の風呂にて用いられる浴湯撹拌具に関する。
【背景技術】
【０００２】  従来、湯かき部を設けた湯かき棒の他端にゴミ取り網を設けたゴミ取り網付き浴湯撹拌具はあった。（例えば特許文献１参照）【０００３】  従来のゴミ取り網付き浴湯撹拌具は、図５で示すように、湯かき部１２を設けた湯かき棒１１の他端にゴミ取り網１３が設けてある。【０００４】  これは次のような欠点がある。
１）  湯かき部で湯を撹拌してから次に湯かき棒をひっくり返して他端側のゴミ取り網        でゴミの捕集をするというように別々に作業をしなければならない。
２）  しかも、湯の撹拌をするときにはゴミ取り網が邪魔になり、ゴミの捕集のときに        は撹拌部が邪魔になるので、持ちにくく作業が非常にやりずらい。
３）  この形状では浴槽の底部に沈澱しているゴミをすくうのは困難であり、まず湯を        撹拌して沈澱しているゴミを拡散してからゴミ取り網で捕集しなければならず時        間的、労働的にも負担である。【０００５】
【特許文献１】  実用新案公開平０６−０６２８９１号公報
【考案の開示】
【考案が解決しようとする課題】
【０００６】  本考案は以上のような従来の点に鑑み、浴槽の湯の撹拌とゴミの捕集において、別々に作業をするのではなく一つの作業過程で撹拌とゴミの捕集の両方が同時に出来、しかもその作業が簡単に行なえるようにするものであり、且つ、浴槽の底部に沈殿しているゴミの多くを拡散する前に捕集出来るようにすることによって、時間的、労働的にも負担が軽くて済むネット付浴湯撹拌具を提供することを目的としている。
【課題を解決するための手段】
【０００７】  前記目的を達成するために、本考案が提供するネット付浴湯撹拌具は、長く設けた柄の下端部にネット枠と湯の撹拌作用を起こすための斜め上方に傾斜する撹拌板を設け、このネット枠はゴミを捕集するためのネットを有している。こうしたことにより前記ネットでゴミの捕集作業を行なうことによって、同時に前記撹拌板により浴槽の湯が斜め上方に向かって流れるため、この作用によって自動的に湯の撹拌が行なわれる。また作業時に浴槽の底部と接するネット枠の下枠部の前縁を沈殿しているゴミをすくい易くするために薄く設けており、こうした事を特徴としている。
【考案の効果】
【０００８】  本考案にあっては、前述のように柄の下端部にゴミを捕集するためのネットを有するネット枠と湯を撹拌するための撹拌板を一体化に設けた事により、一つの作業過程で湯の撹拌とゴミの捕集の両方が同時に出来るようになり、従来のように別々の作業をしなくても済むようになった。【０００９】  また、ネット枠の下枠部の前縁をゴミがすくい易いように薄くした事により、その下枠部を浴槽の底部にあてながら前方に滑らすようにして底部全体に渡って沈澱しているゴミの捕集作業を行なうことによって、沈殿しているゴミの多くが拡散する前に捕集出来るようになった。【００１０】  それ故、作業するのに、従来よりも時間的、労働的にも負担が軽くなった。
【考案を実施するための最良の形態】
【００１１】  取っ手部分が湯に浸からないように長く設けた柄の下端部にネット枠と撹拌作用を起こすための撹拌板を一体化に設け、ネット枠はゴミを捕集するためのネットを有しており、撹拌板はネット枠の上枠部から斜め上方に向けて取り付けられている。またネット枠の下枠部の前縁はゴミをすくい易くするために薄くしたことにより構成されている。
【実施例】
【００１２】  本考案の一実施例を添付図面に従って説明する。【００１３】  図１、図２で示すように１は柄で長さは家庭用浴槽の一般的サイズに対して作業時に取っ手１ａが湯に浸からないように６０ｃｍに設けてある。２は柄１の下端部に一体に取り付けられたネット枠であり、３はこのネット枠２に取り付けたゴミを捕集するためのネットである。４はネット枠２の上枠部２ａから斜め上方に向けて取り付けた湯を撹拌するための撹拌板であり、図２でも示すように柄１に対する角度αは４５度に設定されている。【００１４】  また、前記ネット枠２の下枠部２ｂは図３、図４でも示すように前縁の形状を浴槽の底部に沈殿しているゴミをすくい易くするために薄くし、後方を厚くした傾斜面に設けてある。【００１５】  以上の構成からなる本考案の一実施例によるネット付浴湯撹拌具は、柄１の取っ手１ａを持って、ネット枠２の下枠部２ｂを浴槽の底部に当て、撹拌板４を後方にしてそのまま下枠部２ｂを底部に当てたまま前方に掃くようにして動かし、反転を加えながら浴槽の底部全体に渡って沈殿しているゴミの捕集作業を行なう事によって、ゴミの多くが拡散される前にネット３の中に捕集され、しかもその過程において撹拌板４によって浴槽の湯が後斜め上方に向かって流れるため、この作用によって自動的に湯の撹拌が行なわれる。このようにして湯の撹拌とゴミの捕集の両方が同時に出来てしまうのである。【００１６】  以上、本考案の一実施例を説明したが、本考案の範囲はこれに限定されるものではない。
例１）撹拌板を小さくしたり、いくつかの穴を設ける事によって湯の抵抗力を減少させ        て作業がよりやり易く出来るようにする方法等、だがこれは撹拌力が弱くなるマ        イナス点もある。
例２）ネット枠を回転できるようにする事により、少しでも作業効率を良くする方法等        。
例３）撹拌板の傾斜角度についても取り付け位置や形状、大きさにより、湯の流れや抵        抗力等を考えて最良の角度に選択することも出来る。
上記以外でも、ネットやネット枠、撹拌板のそれぞれの形状や取り付け方法、取り付け  位置、大きさ等まだいろいろ考えられるものもあるが、それらにも変更可能である。【００１７】  柄においても、長さやその形状にこだわりはなく、持ち易く作業がやり易ければ良い。また取り付け方法も一体成型に限らず、はめ込み式やその他方式でもかまわない。且つ、伸縮方式などにより長さの調節が出来るようにしても良い。
【産業上の利用可能性】
【００１８】  以上詳述したように、本考案のネット付浴湯撹拌具は、従来のように浴槽の湯の撹拌とゴミの捕集について別々に作業をする必要はなく、一つの作業過程で湯の撹拌とゴミの捕集の両方が同時に出来、また、この作業も簡単に行なえ、且つ、浴槽の底部に沈殿している湯垢や毛髪等のゴミの多くが拡散する前に捕集可能という優れものであり、時間的、労働的にも負担が軽くて済み一般家庭の生活用品として十分利用可能である。
【図面の簡単な説明】
【００１９】
【図１】本考案の実施例に係るネット付浴湯撹拌具の斜視図である。
【図２】図１のネット付浴湯撹拌具の側面図である。
【図３】図１のネット付浴湯撹拌具のネット枠の部分拡大図である。
【図４】図１のネット付浴湯撹拌具のネット枠の部分断面図である。
【図５】従来のゴミ取り網付き浴湯撹拌具の斜視図である。
【符号の説明】
【００２０】  １    柄
２    ネット枠
３    ネット
４    撹拌板
α    撹拌板の傾斜角度
１１  湯かき棒
１２  湯かき部
１３  ゴミ取り網
【図１】
0003118566.tif 000003
【図２】
0003118566.tif 000004
【図３】
0003118566.tif 000005
【図４】
0003118566.tif 000006
【図５】
0003118566.tif 000007